(57)【特許請求の範囲】
【請求項１】
一端を基端とし、他端を編端とする一本の糸の前記基端に対して前記編端で大輪を形成しながら該大輪の袂に前記編端を掛けて曲げ返すことによって小輪を形成し、該小輪の中に前記編端を挿通することにより第１の結び目を形成し、数珠の梵天とほぼ同様の直径を有する円柱形の案内棒の外周に前記大輪を通したうえで、前記基端は小輪に引っかけて上方へ折り曲げる一方、第1の結び目を大輪にずらすことにより第１の遊びを形成し、第１の遊びの幅と同幅の第２の遊びの幅をあけて大輪に編端を挿通すると共に、該編端を大輪と第２の遊びとの間に挿通することにより第２の結び目を形成し、これらの第２の遊びと第２の結び目と同様にそれに続く遊びと結び目を形成して一周を成した後、既に形成してある前記夫々の遊びに対して次の周の遊びと結び目を形成することにより、前記遊びと前記結び目からなる伸縮性を有する円筒形の網目を形成して成り、該円筒形の網目を梵天の外周に包囲し、前記基端と前記編端の端部を絞りこみむことによって該円筒形の網目を前記梵天の形状に倣って球形に形成して前記梵天を覆うようにしたことを特徴とする数珠の梵天カバー。
【発明の詳細な説明】
【０００１】
【発明の属する技術分野】
本発明は、数珠に設けられた梵天を覆うことによって梵天を保護するようにした数珠の梵天カバーに関するものである。
【０００２】
【従来の技術】
図７に示す従来の数珠について説明すると、通常１０８個、或はそれよりも少数の小珠１２に形成された貫通孔に撚り糸１３を挿通して複数の小珠１２、１２…を輪形に形成し、該小珠１２、１２…の途中に配した大珠１４の貫通孔内で撚り糸１３を結び止めると共に、この大珠１４の貫通孔内に２本または３本の梵天２を成す編み糸１５を結んだ構成とされている。また、夫々の梵天２の途中には小珠１２、１２…が設けられている。
【０００３】
なお、図７の梵天は２本であるが、反対側には３本の梵天（不図示）が設けられている。
【０００４】
この梵天２は、図７に示すように端部が球形のものと、不図示のふさ状のものとがある。このうち球形の梵天２には、絹糸等の糸を球形に形成したものと合成繊維を球形に形成したものとがあるが、いずれにしても編み糸１５の先端を折り返した折返部１６に梵天２の形状を形成するようにしている。
【０００５】
ところが、このような数珠の梵天２においては、梵天２を成す糸の一部または合成繊維の一部が編み糸１５の折返部１６から脱落して梵天２の形状が崩れたり、長期の使用において梵天２が離脱してしまうことがあった。
【０００６】
【発明が解決しようとする課題】
本発明は、上記のような欠点を解消するためになされたもので、数珠に設けられた梵天の周囲を保護してその形状を永続的に維持すると共に、梵天の見栄えを良くするようにした数珠の梵天カバーを提供することを目的とする。
【０００７】
【課題を解決するための手段】
上記の目的を達成するために、本発明の数珠の梵天カバーは、一端を基端とし、他端を編端とする一本の糸の前記基端に対して前記編端で大輪を形成しながら該大輪の袂に前記編端を掛けて曲げ返すことによって小輪を形成し、該小輪の中に前記編端を挿通することにより第１の結び目を形成し、数珠の梵天とほぼ同様の直径を有する円柱形の案内棒の外周に前記大輪を通したうえで、前記基端は小輪に引っかけて上方へ折り曲げる一方、第1の結び目を大輪にずらすことにより第１の遊びを形成し、第１の遊びの幅と同幅の第２の遊びの幅をあけて大輪に編端を挿通すると共に、該編端を大輪と第２の遊びとの間に挿通することにより第２の結び目を形成し、これらの第２の遊びと第２の結び目と同様にそれに続く遊びと結び目を形成して一周を成した後、既に形成してある前記夫々の遊びに対して次の周の遊びと結び目を形成することにより、前記遊びと前記結び目からなる伸縮性を有する円筒形の網目を形成して成り、該円筒形の網目を梵天の外周に包囲し、前記基端と前記編端の端部を絞りこみむことによって該円筒形の網目を前記梵天の形状に倣って球形に形成して前記梵天を覆うようにしたことを特徴とする。
【００１０】
【発明の実施の形態】
以下、本発明の実施例について図面を参照しながら説明する。
【００１１】
図１または図２に示すように、本発明による数珠の梵天カバー３は、数珠１に設けられた梵天２の周囲を糸で網目に編んだ梵天カバー３によって覆うようにしたものであり、梵天２の形状に倣った球形を成すものである。
【００１２】
なお、図１には数珠１の一方に設けられた２本の梵天２を示しているが、反対側には不図示であるが３本の梵天を有する。
【００１３】
このような数珠の梵天カバーの形成方法について説明する。
【００１４】
図３(a) に示すように、本発明による梵天カバー３は、一本の絹糸その他の種類の糸４を網状に編むことによって形成するもので、糸４の一端を基端５とし、それに対する他端を編端６として編んでいくようにする。なお、図示において編端６は必要な長さを有するが、説明の便宜上、途中から破断したものとして図示してある。
【００１５】
梵天カバー３の編み方は、まず、図３(a) に示すように、基端５に対して編端６で大輪７を形成しながらこの大輪７の袂に編端６を掛けて曲げ返すことによって小輪８を形成する。
【００１６】
次いで、図３(b) に示すように、小輪８の中に編端６を挿通して、図３(c) に示すように結び目Ｂ１を形成する。
【００１７】
次いで、数珠１の梵天２の直径と略同様の直径を有する円柱形の案内棒９を用意し、図４(a) に示すように、この案内棒９の外周に上記の大輪７を通し、基端５は小輪８に引っかけることにより引掛部Ｂを形成して上方に折曲げる。
【００１８】
このとき、基端５を案内棒９の周囲に固定した状態にしておけば、それ以降の編み作業を進めるのに好都合であるため、この基端５を例えば粘着テープ１７等で案内棒９の周囲に固定しておく。
【００１９】
また、大輪７を案内棒９の外周に絞り、第１の結び目Ｂ１を大輪７に沿ってずらすことにより、小輪８を緩やかに引延して第１の遊びＣ１を形成する。この第１の遊びＣ１と以下に述べる他の遊びは多少の垂れ下げた形状を有するように形成する。
【００２０】
このとき、以下に述べる結び目の形成を容易にするために、図４(b) に示すように、糸の編端６に縫い針１８を通しておき、以下に述べる編端６の挿通作業に用いる。
【００２１】
次いで、図４(b) に示すように、第１の遊びＣ１の幅と略同幅の第２の遊びＣ２の幅をあけて大輪７に編端６を挿通すると共に該編端６を大輪７と第２の遊びＣ２との間に挿通することにより、第２の結び目Ｂ２を形成する。
【００２２】
さらに、上記と同様の方法で、図５(a) に示すように、第３、第４…の遊びＣ３、Ｃ４…の幅をあけながら、第３、第４…の結び目Ｂ３、Ｂ４…を形成し、案内棒９の外周の大輪７に沿って一周分の結び目を形成する。
【００２３】
この一周分の結び目を形成した時点で、図５(a) 及び(b) に示すように、既に形成してある上記の第１、第２、第３…の遊びＣ１、Ｃ２、Ｃ３…に対して、上記と同様の方法で遊びＣ２１、Ｃ２２、Ｃ２３…を形成しながら結び目Ｂ２１、Ｂ２２、Ｂ２３…を形成し、さらに次の列の遊びＣ３１…を形成しながら結び目Ｂ３１…を形成するといった手順で案内棒９の周りに多数列の一連の遊びと結び目を形成する。
【００２４】
このようにして、図５(c) に示すように、数珠１の梵天２の直径を覆うだけの多数列の一連の結び目を完成させることによって円筒形の網目１０の編み込み作業を終了する。
【００２５】
このように形成された円筒形の網目１０は、上記のように夫々の列に形成された遊びに対して次列の遊びを設けながら結び目を順次形成するようにしてあるため、全体として縦横方向に伸縮性を有することとなる。
【００２６】
次いで、図６に示すように、この円筒形の網目１０を数珠１の梵天２の外周にはめ込んで、糸の基端５と編端６の端部を引くことによって絞り込むと、図２に示すように、円筒形の網目１０は梵天２の形状に倣って球形に変形し、梵天２全体を覆うこととなる。
【００２７】
なお、糸の基端５と編端６は結び止めることによって糸のほつれを防止すると共に、余長は切断する。
【００２８】
なお、図２において、編み糸１５側における梵天カバー３の絞り込み形状は編み糸１５の外周を包囲するように絞り込まれ、一方、梵天２の先端の絞り込み部は、図１に示すように、輪形の輪を描きならが絞り込まれ、他の外周部分も規則正しい網目を成して、全体としても美しい網目模様を描くこととなり、意匠性も良好なものとなる。
【００２９】
【発明の効果】
以上のように構成された本発明の数珠の梵天カバーによれば、数珠に設けられた梵天の周囲を糸で網目に編んだ梵天カバーで覆うことにより、数珠に設けられた梵天を保護すると共に、梵天の形状を永続的に維持することができ、さらに梵天の見栄えに高級感が加わり、意匠性においても優れたものとなる。
【００３０】
また、本発明による数珠の梵天カバーは一本の糸を伸縮性を有する網目に編んで円筒形に形成したものを梵天の外周に包囲し、糸を絞りこむことにより梵天を覆うことによって梵天の形状に倣った球形を形成することができる。
【図面の簡単な説明】
【図１】本発明による梵天カバーを施した数珠の部分斜視図である。
【図２】本発明による梵天カバーを施した数珠の梵天の拡大図である。
【図３】(a) 乃至(c) は本発明による梵天カバーの編み方を示す図である。
【図４】(a) 及び(b) は本発明による梵天カバーの編み方を示す図である。
【図５】(a) 乃至(c) は本発明による梵天カバーの編み方を示す図である。
【図６】本発明による梵天カバーを形成する円筒形網目を梵天にはめ込んだ状態を示す図である。
【図７】従来の梵天を示す数珠の部分斜視図である。
【符号の説明】
１…数珠
２…梵天
３…梵天カバー
４…糸
５…基端
６…編端
７…大輪
８…小輪
９…案内棒
１０…円筒形の網目
Ｃ１、Ｃ２、Ｃ３…第１の遊び、第２の遊び、第３の遊び
Ｂ１、Ｂ２、Ｂ３…第１の結び目、第２の結び目、第３の結び目
【図１】
0003541233.tif 000002
【図２】
0003541233.tif 000003
【図３】
0003541233.tif 000004
【図４】
0003541233.tif 000005
【図５】
0003541233.tif 000006
【図６】
0003541233.tif 000007
【図７】
0003541233.tif 000008